(57)【要約】  本願は、画面輝度調整方法および端末を提供し、ＥＭ調光の調光精度および調光の平滑性が低いという問題を解決するための端末技術の分野に関するものである。方法は、目標輝度を決定し、目標輝度に基づいて、目標輝度を実装するために点灯する必要がある画素行の量を計算する段階と、目標輝度を実装するために点灯する必要がある画素行の量が、送信されたＥＭ信号が有し得るパルスの設定された最大量よりも大きいまたはこれと等しい場合、目標輝度を実装するために点灯する必要がある画素行の量と、ＥＭ信号が有し得るパルスの設定された最大量とに基づいて、目標輝度を実装するために必要なＥＭ信号内の各パルスによって制御される画素行の量を決定する段階と、目標輝度を実装するために必要なＥＭ信号内の各パルスによって制御される画素行の決定された量に基づいて、現在のＥＭ信号内の少なくとも１つのパルスのパルス幅を調整して、ＥＭ信号のデューティサイクルを変更する段階であって、デューティサイクルは、ＥＭ信号によって点灯されて制御される画素行の量を反映するために使用される段階と、を含む。本願は、画面輝度調整プロセスに適用可能である。
2021517275.tif 000002
【特許請求の範囲】
【請求項１】
画面輝度調整方法であって、
前記方法は、目標輝度を決定し、前記目標輝度に基づいて、前記目標輝度を実装するために点灯する必要がある画素行の量を計算する段階と、
前記目標輝度を実装するために点灯する必要がある画素行の量が、送信されたＥＭ信号が有し得るパルスの設定された最大量よりも大きいまたはこれと等しい場合、前記目標輝度を実装するために点灯する必要がある画素行の量と、前記ＥＭ信号が有し得るパルスの前記設定された最大量とに基づいて、前記目標輝度を実装するために必要な前記ＥＭ信号内の各パルスによって制御される画素行の量を決定する段階と、
前記目標輝度を実装するために必要な前記ＥＭ信号内の各パルスによって制御される画素行の前記決定された量に基づいて、現在のＥＭ信号内の少なくとも１つのパルスのパルス幅を調整して、前記ＥＭ信号のデューティサイクルを変更する段階であって、前記デューティサイクルは、前記ＥＭ信号によって点灯されて制御される画素行の量を反映するために使用される段階と、
を備える、方法。
【請求項２】
前記目標輝度に基づいて、前記目標輝度を実装するために点灯する必要がある画素行の量を計算する段階は、
画面が有する画素行の総量を得る段階と、
前記画素が点灯されたときに得られる前記画面が有する全ての画素行の輝度に対する前記目標輝度の比率を決定する段階と、
前記比率と前記画面が有する画素行の総量との積を計算して、前記目標輝度を実装するために点灯する必要がある画素行の量を得る段階と、
を備える、請求項１に記載の方法。
【請求項３】
前記目標輝度を実装するために点灯する必要がある画素行の量と、前記ＥＭ信号が有し得るパルスの設定された最大量とに基づいて、前記目標輝度を実装するために必要な前記ＥＭ信号内の各パルスによって制御される画素行の量を決定する段階は、
前記目標輝度を実装するために点灯させる必要がある画素行の量と、前記ＥＭ信号が有し得るパルスの設定された最大量との商およびモジュラスを計算する段階と、
前記目標輝度を実装するために必要な前記ＥＭ信号内の各パルスを第１の部分と第２の部分とに分割する段階と、
各パルスの前記第１の部分によって制御される画素行の量を、計算によって得られた前記商と等しくする段階と、
各パルスの前記第２の部分によって制御される画素行の量の和が計算で得られた前記モジュラスと等しくなるように、計算で得られた前記モジュラスに基づいて各パルスの第２の部分で制御される画素行の量を割り当てる段階と、
各パルスの前記第１の部分および前記第２の部分で制御される画素行の量を加算して各パルスで制御される画素行の量を得る段階と、
を備える、請求項１に記載の方法。
【請求項４】
各パルスの前記第２の部分によって制御される画素行の量において、最大値と最小値との間の差が１である、請求項３に記載の方法。
【請求項５】
前記目標輝度の実装に必要な前記ＥＭ信号内の各パルスによって制御される画素行の決定された量に基づいて、現在のＥＭ信号内の少なくとも１つのパルスのパルス幅を調整する前記段階は、
１回の調整によって、前記現在のＥＭ信号内の各パルスのパルス幅を、前記目標輝度の実装に必要な前記ＥＭ信号内の各パルスのパルス幅に調整する段階、または、
少なくとも２回の調整によって、前記現在のＥＭ信号内のパルスのパルス幅を、前記目標輝度の実装に必要な前記ＥＭ信号内の各パルスの前記パルス幅に徐々に調整する段階、
を備える、請求項１に記載の方法。
【請求項６】
前記目標輝度に基づいて、前記目標輝度を実装するために点灯する必要がある画素行の量を前記計算した後に、前記方法はさらに、
前記目標輝度を実装するために点灯する必要がある画素行の量が、前記ＥＭ信号が有し得るパルスの前記設定された最大量よりも少ない場合に、前記ＥＭ信号の前記デューティサイクルを変更するために、前記ＥＭ信号のパルスの量を調整する段階を備える、
請求項１に記載の方法。
【請求項７】
端末であって、
前記端末は、目標輝度を決定し、前記目標輝度に基づいて、前記目標輝度を実装するために点灯する必要がある画素行の量を計算するように構成される決定モジュールであって、
前記目標輝度を実装するために点灯する必要がある画素行の量が、送信されたＥＭ信号が有し得るパルスの設定された最大量よりも大きいまたはこれと等しい場合、前記決定モジュールは、前記目標輝度を実装するために点灯する必要がある画素行の量と、前記ＥＭ信号が有し得るパルスの前記設定された最大量とに基づいて、前記目標輝度を実装するために必要な前記ＥＭ信号の各パルスによって制御される画素行の量を決定するようにさらに構成される、決定モジュールと、
前記決定モジュールによって決定される前記目標輝度を実装するために必要な前記ＥＭ信号中の各パルスによって制御される画素行の量に基づいて、現在の前記ＥＭ信号中の少なくとも１つのパルスのパルス幅を調整し、前記ＥＭ信号のデューティサイクルを変更するように構成される調整モジュールであって、前記デューティサイクルは、前記ＥＭ信号によって点灯されて制御される画素行の量を反映するために使用される、調整モジュールと、
を備える、端末。
【請求項８】
前記決定モジュールは、画面が有する画素行の総量を取得し、
前記画素が点灯されたときに取得された前記画面が有する画素行の全ての画素の輝度に対する前記目標輝度の比率を決定し、
前記比率と前記画面が有する画素行の総量との積を計算して、前記目標輝度を実装するために点灯させる必要がある画素行の量を取得するように構成される、
請求項７に記載の端末。
【請求項９】
前記決定モジュールは、
前記目標輝度を実装するために点灯する必要がある画素行の量と前記ＥＭ信号が有し得るパルスの前記設定された最大量との商およびモジュラスを計算し、
前記目標輝度を実装するために必要な前記ＥＭ信号の各パルスを第１の部分および第２の部分に分割し、
各パルスの前記第１の部分によって制御される画素行の量を、計算によって得られた前記商に等しくし、
各パルスの前記第２の部分によって制御される画素行の量の和が計算によって得られた前記モジュラスに等しくなるように、計算によって得られた前記モジュラスに基づいて各パルスの前記第２の部分によって制御される画素行の量を割り当て、
各パルスの前記第１の部分および前記第２の部分によって制御される画素行の量を加算して各パルスによって制御される画素行の量を得るように構成される、
請求項７に記載の端末。
【請求項１０】
各パルスの前記第２の部分によって制御される画素行の量において、最大値と最小値との差が１である、請求項９に記載の端末。
【請求項１１】
前記調整モジュールは、
１回の調整によって、現在のＥＭ信号の各パルスのパルス幅を、前記目標輝度を実装するのに必要な前記ＥＭ信号の各パルスのパルス幅に調整する、または、
少なくとも２回の調整によって、前記現在のＥＭ信号のパルスのパルス幅を、前記目標輝度の実装に必要な前記ＥＭ信号中の各パルスの前記パルス幅に徐々に調整するように構成される、
請求項７に記載の端末。
【請求項１２】
前記調整モジュールは、前記目標輝度を実装するために点灯する必要がある画素行の量が、前記ＥＭ信号が有し得るパルスの前記設定された最大量よりも少ない場合に、前記ＥＭ信号のデューティサイクルを変更するように、前記ＥＭ信号のパルスの量を調整するようにさらに構成される、請求項７に記載の端末。
【請求項１３】
ディスプレイ画面、メモリ、１または複数のプロセッサ、および１または複数のプログラムを備える端末であって、前記１または複数のプログラムが前記メモリに記憶されており、前記１または複数のプロセッサが前記１または複数のプログラムを実行する場合、前記端末は、請求項１から６のいずれか１項に記載の方法を実装することが可能となる、端末。
【請求項１４】
可読記憶媒体であって、前記可読記憶媒体は命令を記憶しており、前記命令が前記端末上で起動される場合、前記端末は、請求項１から６のいずれか１項に記載の方法を実行することが可能となる、可読記憶媒体。
【請求項１５】
コンピュータプログラム製品であって、前記コンピュータプログラム製品はソフトウェアコードを備え、前記ソフトウェアコードは、請求項１から６のいずれか１項に記載の方法を実行するように構成される、コンピュータプログラム製品。
【発明の詳細な説明】
【技術分野】
【０００１】
本願は、端末技術の分野に係り、特に、画面輝度調整方法および端末に関する。
【背景技術】
【０００２】
有機発光ダイオード（Ｏｒｇａｎｉｃ  Ｌｉｇｈｔ−Ｅｍｉｔｔｉｎｇ  Ｄｉｏｄｅ，  ＯＬＥＤ）ディスプレイなどのアクティブ発光ディスプレイは、自ら発光することができる。アクティブ発光ディスプレイは、各画素の点灯および消灯を調整して画像表示を実現する。ＯＬＥＤディスプレイは、自明度や画面視野角が大きいなどの利点があり、端末の量が増えてくると次第に適用されるようになってきた。
【０００３】
実際にＯＬＥＤディスプレイ端末を使用する際には、画面輝度を調整する必要があり、すなわち、ユーザの要求をより良好に満たすために調光を行っている。現在、一般的な調光方式としては、ガンマ（ｇａｍｍａ）調光、エミッション（Ｅｍｉｓｍｉｎｇ、ＥＭ）信号調光、ガンマ調光とＥＭ調光を組み合わせた混合調光などがある。ＥＭ調光はデジタル信号を用いて制御するため、費用対効果が高く、実装しやすい。
【０００４】
しかしながら、ディスプレイ技術の開発に伴い、ユーザは、端末の画面輝度調整中の精度や平滑性などの視覚的な体験を含めて、端末の利用体験に対する要求がますます高くなってきている。
【発明の概要】
【０００５】
本願の実施形態は、先行技術におけるＥＭ調光の調光精度が低く、調光の平滑性が低いという問題を解決するため、画面輝度調整方法および端末を提供する。
【０００６】
第１の態様によれば、本願の実施形態は、画面輝度調整方法を提供する。方法は、目標輝度を決定し、目標輝度に基づいて、目標輝度を実装するために点灯する必要がある画素行の量を計算する段階と、目標輝度を実装するために点灯する必要がある画素行の量が、ＥＭ信号が有し得るパルスの設定された最大量よりも大きいまたはこれと等しい場合、目標輝度を実装するために点灯する必要がある画素行の量と、ＥＭ信号が有し得るパルスの設定された最大量とに基づいて、目標輝度を実装するために必要なＥＭ信号内の各パルスによって制御される画素行の量を決定する段階と、目標輝度を実装するために必要なＥＭ信号内の各パルスによって制御される画素行の決定された量に基づいて、現在のＥＭ信号内の少なくとも１つのパルスのパルス幅を調整して、ＥＭ信号のデューティサイクルを変更する段階であって、デューティサイクルは、ＥＭ信号によって点灯されて制御される画素行の量を反映するために使用される段階と、を含む。
【０００７】
本願の実施形態では、ＥＭ信号におけるパルスのパルス幅を調整する方式が変更される。すなわち、少なくとも１つのパルスのパルス幅を調整することができ、すなわち、１回の調整プロセスで１つのパルスのパルス幅を増減させることができる。先行技術では、ＥＭ信号中の全てのパルスのパルス幅が同時に調整されるので、パルスによって制御される画素行の量が大きく増加する。従って、本願の実施形態では、画素行の量に対応する比較的大きな輝度レベルスパンと比較して、調整前後のパルスデューティサイクルの調整量が比較的小さいため、デューティサイクルに対応する点灯画素行の量の調整量が比較的小さくなる。このように、隣接する２つの輝度レベル間の調整プロセスでは、調整パルスによって制御される画素行の量が比較的小さいため、画素行の量に対応する隣接する２つの輝度レベル間のスパンが比較的小さくなる。従って、ＥＭ調光の精度と平滑性が向上する。
【０００８】
一実施形態では、目標輝度に基づいて、目標輝度を実装するために点灯する必要がある画素行の量を計算することは、画面が有する画素行の総量を得ることと、画素が点灯されたときに得られる画面が有する全ての画素行の輝度に対する目標輝度の比率を決定することと、比率と画面が有する画素行の総量との積を計算して、目標輝度を実装するために点灯する必要がある画素行の量を得ることと、を含む。目標輝度レベルを実装するために点灯が必要な画素行の量を計算した後、画素行の量を調整することで目標輝度レベルを実装することができる。
【０００９】
一実施形態では、目標輝度を実装するために点灯する必要がある画素行の量と、ＥＭ信号が有し得るパルスの設定された最大量とに基づいて、目標輝度を実装するために必要なＥＭ信号内の各パルスによって制御される画素行の量を決定することは、目標輝度を実装するために点灯させる必要がある画素行の量と、ＥＭ信号が有し得るパルスの設定された最大量との商およびモジュラスを計算することと、目標輝度を実装するために必要なＥＭ信号内の各パルスを第１の部分と第２の部分とに分割することと、各パルスの第１の部分によって制御される画素行の量を、計算によって得られた商と等しくすることと、各パルスの第２の部分で制御される画素行の量の和が計算で得られたモジュラスと等しくなるように、計算で得られたモジュラスに基づいて各パルスの第２の部分で制御される画素行の量を割り当てることと、各パルスの第１の部分および第２の部分で制御される画素行の量を加算して各パルスで制御される画素行の量を得ることと、を含む。このように、目標輝度を実装するために点灯させる必要のある画素行の量を全てのパルスで均等に割り当てることができない場合には、均等に割り当てることができない画素行の量も、全てのパルスの中の１または複数のパルスで制御されていると決定することができる。従って、全てのパルスによって制御される画素行の量の和が、目標輝度を実装するために点灯する必要がある画素行の量であることが保証される。すなわち、本願の実施形態で提供される技術的解決手段によれば、端末で調整可能な輝度をできるだけ目標輝度に近づけることができるので、目標輝度に基づいて実行される画面輝度調整をより正確に行うことができる。
【００１０】
一実施形態では、各パルスの第２の部分によって制御される画素行の量において、最大値と最小値との差は１である。すなわち、１回の調整プロセスで同じパルスのパルス幅を繰り返し調整することがなく、それにより、画像の均一性を保証することができる。
【００１１】
一実施形態では、目標輝度の実装に必要なＥＭ信号内の各パルスによって制御される画素行の決定された量に基づいて、現在のＥＭ信号内の少なくとも１つのパルスのパルス幅を調整することは、１回の調整によって、現在のＥＭ信号内の各パルスのパルス幅を、目標輝度の実装に必要なＥＭ信号内の各パルスのパルス幅に調整することと、または、少なくとも２回の調整によって、現在のＥＭ信号内のパルスのパルス幅を、目標輝度の実装に必要なＥＭ信号内の各パルスのパルス幅に徐々に調整すること、を含む。一実施形態では、１回の調整を通じて目標輝度に到達するので、調整時間を短縮することができる。複数回の調整を通じて目標輝度に到達するので、輝度調整プロセスがよりスムーズになり、ＥＭ調光の平滑性が増加する。
【００１２】
一実施形態では、目標輝度に基づいて、目標輝度を実装するために点灯する必要がある画素行の量を計算した後、方法はさらに、目標輝度を実装するために点灯する必要がある画素行の量が、ＥＭ信号が有し得るパルスの設定された最大量よりも少ない場合に、ＥＭ信号のデューティサイクルを変更するために、ＥＭ信号のパルスの量を調整することを含む。パルス幅に対応する画素行の量が同時に増減し、最小調整量が単一パルス幅の調整量の整数倍となるように、各調整時に全てのパルスに対応するパルス幅を同時に調整する先行技術に比べて、本願では、パルスの量を調整することができる。すなわち、最小調整量は、単一パルス幅の調整量である。このように、全てのパルスのパルス幅に対して毎回行う調整の総量が低減され、隣接する２つの輝度レベル間のスパンが低減され、従ってＥＭ調光の精度が向上する。さらに、EM調光で到達できる最小輝度も低減する。
【００１３】
第２の態様によれば、本願は、端末を提供し、ここで、端末は、目標輝度を決定し、目標輝度に基づいて、目標輝度を実装するために点灯する必要がある画素行の量を計算するように構成される決定モジュールを有し、目標輝度を実装するために点灯する必要がある画素行の量が、送信されたＥＭ信号が有し得るパルスの設定された最大量よりも大きいまたはこれと等しい場合、決定モジュールは、目標輝度を実装するために点灯する必要がある画素行の量と、ＥＭ信号が有し得るパルスの設定された最大量とに基づいて、目標輝度を実装するために必要なＥＭ信号の各パルスによって制御される画素行の量を決定するようにさらに構成され、決定モジュールによって決定される目標輝度を実装するために必要なＥＭ信号中の各パルスによって制御される画素行の量に基づいて、現在のＥＭ信号中の少なくとも１つのパルスのパルス幅を調整するように構成され、ＥＭ信号のデューティサイクルを変更するように構成される調整モジュールを有し、デューティサイクルは、ＥＭ信号によって点灯されて制御される画素行の量を反映するために使用される。
【００１４】
一実施形態では、決定モジュールは、画面が有する画素行の総量を取得し、画素が点灯されたときに取得された画面が有する画素行の全ての画素の輝度に対する目標輝度の比率を決定し、および比率と画面が有する画素行の総量との積を計算して、目標輝度を実装するために点灯させる必要がある画素行の量を取得するように構成される。
【００１５】
一実施形態では、決定モジュールは、目標輝度を実装するために点灯する必要がある画素行の量の商およびモジュラスおよびＥＭ信号が含み得るパルスの設定された最大量を計算し、目標輝度を実装するために必要なＥＭ信号の各パルスを第１の部分および第２の部分に分割し、各パルスの第１の部分によって制御される画素行の量を、計算によって得られた商に等しくし、各パルスの第２の部分によって制御される画素行の量の和が計算によって得られたモジュラスに等しくなるように、計算によって得られたモジュラスに基づいて各パルスの第２の部分によって制御される画素行の量を割り当て、各パルスの第１の部分によって制御される画素行の量と各パルスの第２の部分によって制御される画素行の量を加算して各パルスによって制御される画素行の量を得る、ように構成される。
【００１６】
一実施形態では、各パルスの第２の部分によって制御される画素行の量において、最大値と最小値との差は１である。
【００１７】
一実施形態では、調整モジュールは、１回の調整によって、現在のＥＭ信号内の各パルスのパルス幅を、目標輝度を実装するために必要なＥＭ信号内の各パルスのパルス幅に調整し、または、少なくとも２回の調整によって、現在のＥＭ信号内のパルスのパルス幅を、目標輝度を実装するために必要なＥＭ信号内の各パルスのパルス幅に徐々に調整するように構成される。
【００１８】
一実施形態では、調整モジュールは、目標輝度を実装するために点灯する必要がある画素行の量が、ＥＭ信号が有し得るパルスの設定された最大量よりも少ない場合に、ＥＭ信号のデューティサイクルを変更するように、ＥＭ信号が有するパルスの量を調整するようにさらに構成される。
【００１９】
第３の態様によれば、本願の実施形態は、端末を提供する。端末の構造は、ディスプレイ画面と、メモリと、１または複数のプロセッサと、１または複数のプログラムとを含み、１または複数のプログラムはメモリに記憶されており、１または複数のプロセッサが１または複数のプログラムを実行する場合、端末は、第１の態様に従った方法および第１の態様の任意の１つの実施形態を実装することが可能になる。
【００２０】
第４の態様によれば、本願の実施形態は、命令を含む可読記憶媒体を提供する。命令が端末上で起動される場合、端末は、第１の態様および第１の態様の任意の１つの実施形態に従った方法を実行することが可能になる。
【００２１】
第５の態様によれば、本願の実施形態は、コンピュータプログラム製品を提供し、コンピュータプログラム製品は、ソフトウェアコードを含む。ソフトウェアコードは、第１の態様および第１の態様の任意の１つ実施形態に従った方法を実行するために使用される。
【図面の簡単な説明】
【００２２】
【図１】本願の実施形態における端末の概略構造図１である。
【００２３】
【図２（ａ）】先行技術によるＥＭ調光の概略図１である。
【００２４】
【図２（ｂ）】先行技術によるＥＭ調光の概略図２である。
【００２５】
【図３（ａ）】本願の実施形態における画面輝度調整方法の概略図１である。
【００２６】
【図３（ｂ）】本願の実施形態における画面輝度調整方法の概略図２である。
【００２７】
【図３（ｃ）】本願の実施形態における画面輝度調整方法の概略図３である。
【００２８】
【図３（ｄ）】本願の実施形態における画面輝度調整方法の概略図４である。
【００２９】
【図４（ａ）】本願の実施形態における画面輝度調整方法の概略図５である。
【００３０】
【図４（ｂ）】本願の実施形態における画面輝度調整方法の概略図６である。
【００３１】
【図４（ｃ）】本願の実施形態における画面輝度調整方法の概略図７である。
【００３２】
【図４（ｄ）】本願の実施形態における画面輝度調整方法の概略図８である。
【００３３】
【図５】本願の実施形態における画面輝度調整方法のフローチャートである。
【００３４】
【図６】本願の実施形態における端末の概略構造図２である。
【発明を実施するための形態】
【００３５】
以下、本願の実施形態における技術的解決手段を、本願の実施形態における添付図面を参照して説明する。
【００３６】
本願の実施形態は、端末に適用される。端末は、デスクトップ装置、ラップトップ装置などであってもよく、具体的には、タブレット、ハンドヘルドコンピュータ、仮想現実（Ｖｉｒｔｕａｌ  Ｒｅａｌｉｔｙ,  ＶＲ）装置、または拡張現実（Ａｕｇｍｅｎｔｅｄ  Ｒｅａｌｉｔｙ,  ＡＲ）技術、車載装置、ウェアラブル装置、携帯電話などであってもよい。端末は、少なくともディスプレイ画面と、入力装置と、プロセッサとを備えている。本願の実施形態では、端末は携帯電話であってもよい。以下、携帯電話１００を例に用いて、携帯電話１００の各構成要素を図１を参照して詳細に説明する。
【００３７】
プロセッサ１０１は、携帯電話１００の制御中枢であり、様々なインタフェースや回線を介して携帯電話１００の各部と接続する。プロセッサ１０１は、メモリ１０２に記憶されたソフトウェアプログラムおよび／またはモジュールを起動または実行し、メモリ１０２に記憶されたデータを呼び出すことにより、携帯電話１００の様々な機能およびデータ処理を実行し、従って、携帯電話１００の全体的な監視を行う。プロセッサ１０１は、１または複数の処理ユニットを含んでもよいことに留意されたい。アプリケーションプロセッサおよびモデムプロセッサは、プロセッサ１０１にさらに統合されてもよい。アプリケーションプロセッサは、主にオペレーティングシステム、ユーザインタフェース（Ｕｓｅｒ  Ｉｎｔｅｒｆａｃｅ、ＵＩ）、アプリケーションプログラムなどを処理する。モデムプロセッサは、主に無線通信の処理を行う。モデムプロセッサは、代替的にプロセッサ１０１に統合されていなくてもよいことが理解できる。
【００３８】
メモリ１０２は、ソフトウェアプログラムとモジュールを記憶するように構成されていてもよい。プロセッサ１０１は、ソフトウェアプログラムやメモリ１０２に記憶されたモジュールを起動して、携帯電話１００の様々な機能アプリケーションやデータ処理を実装する。メモリ１０２は、主にプログラム記憶領域とデータ記憶領域とを含んでいてもよい。プログラム記憶領域には、オペレーティングシステムや、少なくとも１つの機能（例えば、音声再生機能や画像表示機能など）に必要なアプリケーションプログラムなどが記憶されていてもよい。なお、データ記憶領域には、携帯電話１００の使用中に作成されたデータ（例えば、音声データやビデオデータなど）などが記憶されていてもよい。さらに、メモリ１０２は、高速ランダムアクセスメモリを含んでもよく、または、少なくとも１つの磁気ディスク記憶装置とフラッシュ記憶装置などの不揮発性メモリ、あるいは別の揮発性固体記憶装置を含んでもよい。
【００３９】
カメラ１０３は、正面カメラと背面カメラとを含んでもよい。カメラ１０３は、画像フレームを収集し、処理のために画像フレームをプロセッサ１０１に送ることができる。処理結果は、メモリ１０２に記憶され、および／またはディスプレイパネル１１２を介してユーザに提示される。
【００４０】
無線周波数（ＲＦ、Ｒａｄｉｏ  Ｆｒｅｑｕｅｎｃｙ、ＲＦ）回路１０４は、情報受信送信プロセスまたは通話プロセスにおいて信号を受信して送信するように構成されていてもよい。例えば、携帯電話１００は、ＲＦ回路１０４を介して基地局からダウンリンク情報を受信し、次いで、そのダウンリンク情報をプロセッサ１０１に配信して処理を行ってもよい。さらに、携帯電話１００は、関連するアップリンクデータを基地局に送信してもよい。ＲＦ回路は、通常、アンテナ、少なくとも１つの増幅器、トランシーバ、カプラ、低雑音増幅器（Ｌｏｗ  Ｎｏｉｓｅ  Ａｍｐｌｉｆｉｅｒ,  ＬＮＡ）、デュプレクサなどを含むが、これらに限定されない。さらに、ＲＦ回路１０４は、無線通信を介してネットワークおよび別の装置と通信するようにさらに構成されてもよい。無線通信は、移動体通信のグローバルシステム（Ｇｌｏｂａｌ  Ｓｙｓｔｅｍ  ｏｆ  Ｍｏｂｉｌｅ ｃｏｍｍｕｎｉｃａｔｉｏｎ,  ＧＳＭ（登録商標））、一般パケット無線サービス（Ｇｅｎｅｒａｌ  Ｐａｃｋｅｔ  Ｒａｄｉｏ  Ｓｅｒｖｉｃｅ,  ＧＰＲＳ）、コード分割多重アクセス（Ｃｏｄｅ  Ｄｉｖｉｓｉｏｎ  Ｍｕｌｔｉｐｌｅ  Ａｃｃｃｅｓｓ,  ＣＤＭＡ）、広帯域コード分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ,  ＷＣＤＭＡ（登録商標））、長期進化（Ｌｏｎｇ  Ｔｅｒｍ  Ｅｖｏｌｕｔｉｏｎ,  ＬＴＥ）、電子メールプロトコル、ショートメッセージングサービス（Ｓｈｏｒｔ  Ｍｅｓｓａｇｉｎｇ  Ｓｅｒｖｉｃｅ,  ＳＭＳ）プロトコルなどを含むが、これらに限定されず、任意の通信規格またはプロトコルに基づくものであってもよい。
【００４１】
ＲＦ回路１０４、スピーカ１０６、およびマイク１０７は、ユーザと携帯電話１００との間の音声インタフェースを提供してもよい。音声回路１０５は、受信された音声データを電気信号に変換して、電気信号をスピーカ１０６に送信してもよい。スピーカ１０６は、電気信号を音声信号に変換して信号を出力する。さらに、マイク１０７は、収集した音声信号を電気信号に変換してもよい。音声回路１０５は、電気信号を受信し、電気信号を音声データに変換し、音声データをＲＦ回路１０４に出力して、これにより、例えば端末の別の装置に音声データを送信したり、メモリ１０２に音声データを出力したりする。このようにして、プロセッサ１０１は、メモリ１０２に記憶されているコンテンツを参照してさらに処理を実行する。
【００４２】
入力装置１０８は、入力された桁情報または文字情報を受信し、携帯電話１００のユーザ設定および機能制御に関連するキー信号入力を生成するように構成される。入力装置１０８は、別の入力装置１０９とタッチパネル１１１を含む。別の入力装置１０９は、入力された桁情報または文字情報を受信し、携帯電話１００のユーザ設定および機能制御に関連するキー信号入力を生成するように構成されていてもよい。具体的には、別の入力装置１０９は、物理キーボード、ファンクションキー（音量調節キーやオン／オフキーなど）、トラックボール、マウス、ジョイスティック、光学式マウス（光学式マウスは、視覚出力を表示しないタッチ感応面、またはタッチ画面によって形成されたタッチ感応面の延長線上にあるもの）などののうちの１または複数を含んでもよいが、これに限定されない。別の入力装置１０９は、携帯電話１００に内蔵されたセンサ、例えば重力センサや加速度センサなどを含んでいてもよい。携帯電話１００はまた、センサによって検出されたパラメータを入力データとして用いてもよい。
【００４３】
ディスプレイ画面１１０は、入力装置としてのタッチパネル１１１と、出力装置としてのディスプレイパネル１１２とを少なくとも含む。ディスプレイ画面１１０は、ユーザによって入力された情報やユーザに提供された情報、携帯電話１００の様々なメニューを表示するように構成されていてもよく、ユーザ入力をさらに受信してもよい。
【００４４】
タッチパネル１１１は、タッチ画面、タッチ感応画面などとも呼ばれ、タッチパネル１１１上またはタッチパネル１１１近傍でのユーザの接触または非接触操作（例えば、指やスタイラスなどの任意の適切なオブジェクトやアクセサリを用いたユーザのタッチパネル１１１上またはタッチパネル１１１近傍での操作、またはモーションセンシング操作を含む場合もあり、操作の種類には、一点制御操作、多点制御操作などが含まれる）を収集し、予め設定されたプログラムに従って、対応する接続装置を駆動するようにしてもよい。タッチパネル１１１は、タッチ検出装置とタッチコントローラの２つの部分をさらに含んでいてもよいことに留意されたい。タッチ検出装置は、ユーザのタッチ位置とジェスチャーを検出し、タッチ操作によってもたらされる信号を検出し、その信号をタッチコントローラに送信する。タッチコントローラは、タッチ検出装置からタッチ情報を受信し、タッチ情報をプロセッサ１０１で処理可能な情報に変換し、次いで、情報をプロセッサ１０１に送信する。さらに、タッチコントローラは、プロセッサ１０１によって送信されたコマンドをさらに受信して実行することができる。さらに、タッチパネル１１１は、抵抗膜方式、静電容量方式、赤外線、表面音響波などの複数の方式で実装されていてもよいし、タッチパネル１１１は、今後開発される任意の技術を用いて実装されていてもよい。通常、タッチパネル１１１は、ディスプレイパネル１１２を覆っていてもよい。ユーザは、ディスプレイパネル１１２に表示されたコンテンツ（表示されたコンテンツには、ソフトキーボード、仮想マウス、仮想キー、アイコンなどが含まれるが、これに限定されない）に基づいて、ディスプレイパネル１１２を覆うタッチパネル１１１上またはその近傍で操作を行ってもよい。タッチパネル１１１上またはその近傍での操作を検出した後、タッチパネル１１１は、操作をプロセッサ１０１に送信してユーザ入力を決定し、プロセッサ１０１は、次いで、ユーザ入力に基づいて、対応する視覚出力をディスプレイパネル１１２上に提供する。図１において、タッチパネル１１１とディスプレイパネル１１２は、携帯電話１００の入力機能と出力機能を実装するための２つの別個の構成要素として用いられている。しかしながら、いくつかの実施形態では、タッチパネル１１１およびディスプレイパネル１１２は、携帯電話１００の入力機能および出力機能を実装するために統合されていてもよい。
【００４５】
さらに、本願の実施形態では、ディスプレイパネル１１２は、ＯＬＥＤディスプレイ構成要素、マイクロ発光ダイオード（Ｍｉｃｒｏ  Ｌｉｇｈｔ−Ｅｍｉｔｔｉｎｇ  Ｄｉｏｄｅ,  ＭｉｃｒｏＬＥＤ）ディスプレイ構成要素、または量子発光ダイオード（Ｑｕａｎｔｕｍ  Ｄｏｔ  Ｌｉｇｈｔ  Ｅｍｉｔｔｉｎｇ  Ｄｉｏｄｅｓ,  ＱＬＥＤ）ディスプレイ構成要素などのアクティブ発光ディスプレイ構成要素である。以下、ディスプレイパネル１１２がＯＬＥＤディスプレイ構成要素である場合を例に用いて、ディスプレイパネル１１２の動作原理を簡潔に説明する。ディスプレイパネル１１２の各サブピクセルは、ＯＬＥＤ発光装置を含む。サブピクセルのＯＬＥＤ発光装置に電流が流れる場合、ＯＬＥＤが点灯し、ＯＬＥＤに対応するサブピクセルが画面上に対応する色を提示する。全てのサブピクセルのＯＬＥＤ発光装置に電流が流れる場合、全てのＯＬＥＤが点灯し、ディスプレイパネル１１２は電流電圧下で最大輝度に達する。いずれのＯＬＥＤにも電流が流れることがない場合には、全てのＯＬＥＤがオフ状態となり、ディスプレイパネル１１２の輝度は０となる。
【００４６】
出力装置１１３は、携帯電話１００にデータを出力するように構成されており、データには、文字、音声の一部、画像などが含まれる。よく使用される出力装置には、ディスプレイ、プリンタ、プロッタ、画像出力システム、音声出力システムなどが含まれる。本願の実施形態では、出力装置１１３は、サーバ１０１によってフィードバックされたデータを携帯電話１００に表示するように構成されていてもよい。出力装置１１３は、ディスプレイパネル１１２を含む。
【００４７】
携帯電話１００は、構成要素に電力を供給する電源１１４（バッテリなど）をさらに含んでもよい。本発明の実施形態では、電源１１４は、電力供給管理システムを介してプロセッサ１０１に論理的に接続され、電力供給管理システムを介して充放電やエネルギー消費量の管理などの機能を実装するようにしてもよい。
【００４８】
さらに、携帯電話１００は、図１に示さないいくつかの構成要素、例えば、ブルートゥース（登録商標）モジュール、測位装置などをさらに含んでいてもよい。詳細については、本明細書では再度説明はしない。
【００４９】
なお、図１に示した携帯電話の構造は、端末の限定を構成するものではなく、端末は、図示したものよりも多いまたは少ない構成要素を含んでいてもよく、またはいくつかの構成要素が組み合わされていてもよく、またはいくつかの構成要素が分割されていてもよく、または異なる構成要素の配置が用いられていてもよいことに留意されたい。本明細書では、これに限定されない。
【００５０】
本願の実施形態は、端末画面輝度を調整する必要があるアプリケーションシナリオに適用可能である。
【００５１】
例えば、シナリオ１では、外部環境光は、明るい状態と暗い状態との間で、例えば、暗い状態から明るい状態へ、明るい状態から暗い状態へ、または明るい状態から暗い状態へ、そして徐々に明るい状態へと徐々に遷移する。環境光が変化したとき、画面輝度が自動的に調整されない場合、ユーザは手動で画面輝度を調整して、画面に表示されている画像をより鮮明に、より快適に見ることができる。
【００５２】
別の例として、シナリオ２において、環境光の輝度に基づいて端末の画面輝度を自動的に調整しているが、端末の画面輝度がユーザの使用習慣に適合していないとユーザが判断した場合、より快適な使用体験を得るために、ユーザが端末画面輝度を手動で調整するようにしてもよい。
【００５３】
別の例として、シナリオ３では、比較的光の輝度が低い屋内から比較的光の輝度が高い屋外に端末を移動させる。移動前には、端末の輝度はすでに屋内環境に適応した輝度、すなわち、比較的低い輝度になっている。また、移動後も端末の輝度が比較的低いままであると、端末の画面に表示されているテキストまたは画像などのコンテンツをユーザが認識しにくい場合がある。すなわち、ユーザの正常な使用を保証するために、端末は、外部環境光の輝度の変化に適応するために、画面輝度を自動的に調整する必要がある。
【００５４】
多くのシナリオで、端末の画面輝度を調整する必要があることがわかり得る。現在、端末が輝度調整を行う場合、よく使用されている調光方式の１つにＥＭ調光がある。ＥＭ調光方式では、画面輝度は、ＥＭ信号のデューティサイクルを調整することによって調整され、ここで、デューティサイクルは、画面上の点灯した画素行の量の、画素行の総量に対する比率を示すために使用される。例えば、現在のＥＭ信号で使用されているデューティサイクルをａとした場合、現在の電流電圧で点灯している全てのＯＬＥＤの最大輝度をｂとすると、画面輝度はｂ×ａとなる。ＥＭ信号が、ＯＬＥＤをオンにすることを可能にするレベル（例えば、高レベル）を含む場合、画面上のレベルに対応する１または複数の画素行が点灯することに留意されたい。ＥＭ信号が、ＯＬＥＤをオフにすることを可能にするレベル（例えば、低レベル）を含む場合、レベルに対応する画面内の１または複数の画素行がオフになる。明らかに、画面上で点灯している画素行の量が多いほど、画面輝度が高いことを示している。
【００５５】
通常、複数のパルスを含むＥＭ信号は、画面上の対応する行の画素のオンまたはオフを制御するために使用される。画面輝度を増減させる必要がある場合には、ＥＭ信号の全てのパルスのパルス幅を同時に増減させて、ＥＭ信号のデューティサイクルを増減させる。画面輝度を調整するプロセスでは、調整されたデューティサイクルを有するＥＭ信号の各パルスは、各パルスがパルスに対応する画面領域の全ての画素の行をスキャンするまで、上から下に向かって、パルスに対応する画面領域の各画素の行を一行ずつスキャンする。この場合、画面全体の画素の行を全てスキャンして、画面輝度調整が完了する。
【００５６】
前述の調光プロセスでは、ＥＭ信号の全てのパルスのパルス幅を同時に調整することにより、ＥＭ信号のデューティサイクルを調整する。これは、ＥＭ信号の全てのパルスのパルス幅が常に同じままに保たれていることを意味する。ＥＭ信号にｄ個のパルスが含まれている場合、画面輝度調整中に、画面輝度の調整量（インクリメントまたはデクリメント）は、ｄ行の画素を同時に点灯させたときに、対応する輝度の整数倍だけにできる。従って、現在の輝度に対して画面が到達する必要がある目標輝度の調整量が、ｄ行の画素を同時に点灯させたときの対応する輝度の整数倍でない場合には、目標輝度に到達することができず、目標輝度よりも大きいまたは目標輝度よりも小さい輝度のレベルにだけ到達できる。
【００５７】
さらに、以下では、前述の調光プロセスで到達できる輝度レベルについて説明する。ｃ行の画素を含む画面では、画面輝度が最も低く、すなわち、全ての行の画素をオフにしたときの輝度が０となる。ＥＭ信号を用いて画素の点灯制御を行う場合、ＥＭ信号がｄ個のパルスを含み、各パルスが対応して１行の画素を制御すると仮定すると、初期ではｄ行の画素が点灯し、画面輝度はｄ／ｃ×１００％となる。画面輝度を徐々に上げていく場合、１行の画素のスキャン時間の幅が、直前の瞬間のパルス幅に基づいて、ｄ個のパルスのそれぞれのパルス幅に同時に増加していく。この場合、画面輝度レベルは以下のように変化する。２ｄ／ｃ×１００％、３ｄ／ｃ×１００％、４ｄ／ｃ×１００％、....。前述した画面輝度を暗い状態から明るい状態に調整するプロセスから、画面輝度は常にｄ／ｃの整数倍であり、隣接する任意の２つの整数倍の間の輝度レベル、例えば、２ｄ／ｃ×１００％と３ｄ／ｃ×１００％の間の輝度レベルには到達できないことがわかる。従って、隣接する２つの輝度レベル毎の間の調整スパンが比較的大きくなり、これによりＥＭ調光の精度が比較的低くなり、ユーザは画面を視聴しているときに画像の飛びやちらつきを体験することになる。
【００５８】
例えば、図２（ａ）および図２（ｂ）は、２０行１６列の画素を含む画面である。図２（ａ）では、ＥＭ信号は４つのパルスを含み、各パルスは２行の画素の点灯を制御する。この場合、画面輝度レベルは（２×４）／２０×１００％＝４０％となる。徐々に画面輝度を上げていく場合、画面輝度レベルが６０％（図２（ｂ）に示すように）、８０％、１００％と変化していく。画面輝度を徐々に下げていく場合、画面輝度レベルが２０％に変化する。画面輝度レベルを調整するプロセスで、到達できる輝度レベルは、２０％、４０％、６０％、８０％、および１００％であることがわかる。すなわち、輝度レベルは２０％の輝度の整数倍であるが、しかしながら、例えば０と２０％の間、２０％と４０％の間、４０％と６０％の間、６０％と８０％の間、８０％と１００％の間など、隣接する２つの輝度レベルの間の輝度レベルには到達することができない。明らかに、輝度調整方法を用いて輝度を調整する場合には、輝度レベル間のスパンが比較的大きく、調光の精度が比較的低いため、その結果、ユーザは画面を視聴しているときに画像が飛んだり、ちらついたりすることを体験することがある。
【００５９】
先行技術におけるＥＭ調光における前述の課題に対処するために、本願の実施形態は、先行技術におけるＥＭ信号の各パルスの幅を同時に増減させるという考えとは異なる、画面輝度調整方法を提供する。本願の実施形態の画面輝度調整方法では、ＥＭ信号の１または複数のパルスのパルス幅を個別に増減するよう制御してもよい。画面輝度調整方法は、調光の精度を向上させることができ、輝度調整プロセスでの画像の飛び跳ねやちらつきを除去または低減させることができ、ユーザ体験を向上させることができる。
【００６０】
シナリオ１またはシナリオ２では、ユーザが手動で画面輝度を明るい状態から暗い状態に、または暗い状態から明るい状態に調整する。到達できる画面輝度レベルについては、画面輝度を暗い状態から明るい状態に調整する例を用いて説明する。
【００６１】
ｃ行の画素を含む画面では、画面輝度の最小値は０である。ＥＭ信号が画素の点灯を制御する場合、ＥＭ信号がｄ個のパルスを含み、１つのパルスが対応して１行の画素を制御すると仮定すると、１行の画素が初期点灯し、画面輝度レベルが１／ｃ×１００％となる。画面輝度を徐々に増加していく場合、１行の画素のスキャン時間のパルス幅が、直前の瞬間のパルス幅に基づいてｄ個のパルスの１つのパルスのパルス幅に増加する。画面輝度レベルは以下のように変化する。２／ｃ×１００％、３／ｃ×１００％、...、ｄ／ｃ×１００％、（ｄ＋１）／ｃ×１００％、...、２ｄ／ｃ×１００％、（２ｄ＋１）／ｃ×１００％、３ｄ／ｃ×１００％、...、（ｎ×ｄ＋ｍ）／ｃ×１００％。ｎ×ｄ＋ｍ＝ｃのとき、画面は最大輝度１００％に達し、ｍは０からｄ−１の任意の整数である。前述の説明から、１行の画素のスキャン時間のパルス幅を、直前の瞬間のパルス幅に基づいたパルス幅に増加させる場合、先行技術のＥＭ調光で到達できる輝度レベルと比較して、輝度レベル（ｎ×ｄ＋１）／ｃ、（ｎ×ｄ＋２）／ｃ、......、および（ｎ×ｄ＋ｄ−１）／ｃが本願の実施形態まで増加し、隣接する２つの輝度レベル間のスパンが低減され、ＥＭ調光の精度が向上し、輝度調整の精度と平滑性が向上することがわかり得る。さらに、ＥＭ信号で画素の点灯を制御する場合、先行技術で到達できる最小輝度はｄ／ｃ×１００％であり、本願の実施形態で到達できる最小輝度は１／ｃ×１００％である。これは、先行技術で本願の実施形態で提供される画面輝度調整方法を用いることで、到達できる最小輝度を１／ｄに低減することができることを意味する。
【００６２】
２０行１６列の画素を含む画面を例に用いる。画面輝度が０から１００％に調整される場合、それに対応して、ＥＭ信号の全てのパルスに対応する画素行の量が０行から２０行に増加する。４つのパルスを含むＥＭ信号を例に用いる。ＥＭ信号が画素の点灯を制御する場合、１つのパルスが１行の画素に対応し、他の３つのパルスが０行の画素に対応する。図３（ａ）に示すように、画面輝度は（１×１）／２０×１００％＝５％である。輝度レベルが次の輝度レベルに調整される場合、０行の画素に対応する３つのパルスのうち、１つのパルスに対応する画素行の量に１行が増加する。すなわち、４つのパルスのうち２つのパルスがそれぞれ４行の画素に対応し、２つのパルスが０行の画素に対応する。図３（ｂ）に示すように、画面輝度は（１×２）／２０×１００％＝１０％である。さらに輝度を上げた場合、１行の画素のスキャン時間の幅が、直前の瞬間のパルス幅に基づいて４つのパルスのうちの１つのパルスのパルス幅に増加し、画面輝度レベルが１５％（図３（ｃ）に示すように）、２０％（図３（ｄ）に示すように）、２５％、...、８０％、８５％、９０％、または１００％に変化する。ＥＭ調光が２０％、４０％、６０％、８０％、および１００％の５つの輝度レベルに到達する可能性がある先行技術と比較して、本願によれば、５％、１０％、...、９０％、９５％、および１００％の２０の輝度レベルに到達できる。これは、本願では、輝度調整の精度が先行技術に比べて４倍に向上することを意味する。さらに、画素を点灯させる場合、先行技術のＥＭ調光で到達した既存の最小輝度は２０％であるが、本願によれば到達した最小輝度は５％である。これは、本願によって到達できる最小輝度が、先行技術のそれの１／４に低減されることを意味する。本願の実施形態によって実装される輝度調整は、より正確で滑らかなものであると結論づけることができる。
【００６３】
なお、ＥＭ信号が有するパルスの量が設定された最大量ｄに達する場合、それ以上パルスの量は増加せず、各パルスに対応する画素行の量が徐々に増加することに留意されたい。ｄ＝４を例に用いると、図４（ａ）に示すように、点灯している画素行の総量が４ｎの場合、各パルスに対応する画素行の量はｎとなる。図４（ｂ）に示すように、点灯している画素行の総量が４ｎ＋１の場合、１つのパルスに対応する画素行の量はｎ＋１であり、他の３つのパルスのそれぞれに対応する画素行の量はｎである。図４（ｃ）に示すように、点灯している画素行の総量が４ｎ＋２の場合、２つのパルスのそれぞれに対応する画素行の量はｎ＋１であり、他の２つのパルスのそれぞれに対応する画素行の量はｎである。図４（ｄ）に示すように、パルスに対応する点灯している画素行の総量を４ｎ＋３とする場合、３つのパルスのそれぞれに対応する画素行の量はｎ＋１であり、残りの１つのパルスに対応する画素行の量はｎである。パルスに対応する画素行の量を割り当てる方法を用いることで、各パルスに対応する画素行の量が徐々に増加し、画面輝度も徐々に増加する。
【００６４】
さらに、パルスに対応する画素行の量を１行ずつ増加してもよいし、各パルスに対応する画素行の量を毎回２行、３行、４行、ｋ行ずつ増加してもよい。しかしながら、ｋの値は、ＥＭ信号が有するパルスの量を超えてはならず、すなわち、ｋ＜ｄであることに留意されたい。
【００６５】
なお、前述のプロセスは、画面輝度が０から１００％まで徐々に増加するプロセスであり、画面輝度が１００％から０に減少するプロセスは、前述のプロセスとは逆のプロセスであることに留意されたい。詳細については、本明細書では再度説明しない。
【００６６】
さらに、本願の実施形態で提供される輝度調整方法は、ＥＭ信号が４つのパルスを含むシナリオだけに適用可能ではなく、ＥＭ信号が２、３、５、および６などの任意の量のパルスを含むシナリオにも適用可能である。チップ設計中、通常、２の積分電力を使用してカウントが実行される。すなわち、ほとんどの場合、２、４、８、１６などを用いてカウントを実行する。ユーザは、チップ設計の実際の状態に基づいて、適切なパルスの量を選択してもよい。パルスの量の特定の値は、本明細書では限定されない。ＥＭ信号が４つのパルス以外の別の量のパルス信号を含む場合、各パルスに対応する画素行の量が徐々に増減することを保証することのみを必要とし、同じＥＭ信号において、任意の２つのパルスに対応する画素行の量の差の絶対値が１より小さいか等しい。ＥＭ信号が有するパルスの量は、本明細書では限定されない。
【００６７】
図５に示すように、シナリオ１およびシナリオ３において、携帯電話が自動で輝度調整を行う場合には、輝度調整方法は、以下の段階を含む。
【００６８】
段階５０１：目標輝度を決定し、目標輝度に基づいて、目標輝度を実装するために点灯する必要がある画素行の量を計算する。
【００６９】
端末が位置している環境光の輝度が変化した場合、画面輝度を環境光の変化に適応可能にするためには、端末は現在の環境の輝度に合致した目標輝度を画面からまず選択し、次いで現在の輝度から目標輝度に画面輝度を調整する必要がある。
【００７０】
可能な実装方式では、画面が有する画素行の総量が得られ、画素が点灯されたときに得られる画面が有する全ての画素行の輝度に対する目標輝度の比率が決定され、比率と画面が有する画素行の総量との積が計算され、目標輝度を実装するために点灯させる必要がある画素行の量が得られる。例えば、決定された目標輝度は５０ニット（ｎｉｔ）であり、画素を点灯させたときに得られる画面が有する全ての行の画素の輝度は２００ニットである。この場合、比率は５０／２００＝１／４となる。画面が有する画素行の総量を１００とする場合、目標輝度を得るためには、点灯させる必要のある画素行の量は１００×１／４＝２５となる。
【００７１】
目標輝度を実装するために点灯させる必要がある画素行の量が、送信されたＥＭ信号が有し得るパルスの設定された最大量よりも大きいまたはこれと等しい場合、以下の段階５０２および段階５０３が実行される。目標輝度を実装するために点灯させる必要がある画素行の量が、ＥＭ信号が有し得るパルスの設定された最大量よりも少ない場合には、以下の段階５０４が実行される。
【００７２】
段階５０２：目標輝度を実装するために点灯する必要がある画素行の量と、ＥＭ信号が有し得るパルスの設定された最大量に基づいて、目標輝度を実装するために必要なＥＭ信号の各パルスによって制御される画素行の量を決定する。
【００７３】
任意に、目標輝度を実装するために点灯させる必要のある画素行の量と、ＥＭ信号が有し得るパルスの設定された最大量との商とモジュラスを計算し、目標輝度を実装するために必要なＥＭ信号の各パルスを第１の部分と第２の部分に分割し、各パルスの第１の部分によって制御される画素行の量を計算によりて得られた商と等しくし、計算により得られたモジュラスに基づいて各パルスの第２の部分で制御される画素行の量の和が計算により得られたモジュラスと等しくなるように、各パルスの第２の部分で制御される画素行の量を割り当て、各パルスの第１の部分と第２の部分で制御される画素行の量を増加させて、各パルスで制御される画素行の量を得る。任意に、各パルスの第２の部分によって制御される画素行の量において、最大値と最小値との差は１である。
【００７４】
例えば、画面輝度を現在の輝度から目標輝度に調整する必要がある場合、現在の輝度に対応する画素行の量をＸ１、目標輝度に対応する画素行の量をＸ２とし、ＥＭ信号がｄ個のパルスを含む場合、Ｘ１をｄで割ったときの商とモジュラスを計算し、商がＹ１、モジュラスがＺ１となる。現在の輝度の下では、ｄ個のパルスのＺ１に対応する画素行の量をＹ１＋１とし、ｄ−Ｚ１パルスに対応する画素行の量をＹ１とする。Ｘ２をｄで割ったときの商とモジュラスは、同様の方法を用いて計算する。Ｘ２をｄで割って計算した商をＹ２、ｄで割ったモジュラスをＺ２とそれぞれ仮定する。この場合、目標輝度において、ｄ個のパルスのＺ２に対応する画素行の量をＹ２＋１とし、ｄ−Ｚ２パルスに対応する画素行の量をＹ２とする。従って、ＥＭ信号のｄ個のパルスの最後の変化は、Ｚ２パルスに対応する画素行の量をＹ２＋１とし、ｄ−Ｚ２パルスに対応する画素行の量をＹ２とすることで、画面輝度を現在の輝度から目標輝度に調整することができる。
【００７５】
段階５０３：目標輝度を実装するために必要なＥＭ信号内の各パルスによって制御される画素行の決定された量に基づいて、現在のＥＭ信号内の少なくとも１つのパルスのパルス幅を調整し、ＥＭ信号のデューティサイクルを変化させる。
【００７６】
デューティサイクルは、ＥＭ信号が点灯するように制御する画素行の量を反映するために使用される。
【００７７】
任意に、１回の調整により、現在のＥＭ信号における各パルスのパルス幅が、目標輝度を実装するために必要なＥＭ信号における各パルスのパルス幅に調整される。代替的に、少なくとも２回の調整により、現在のＥＭ信号のパルスのパルス幅を、目標輝度の実装に必要なＥＭ信号中の各パルスのパルス幅に徐々に調整する。
【００７８】
例えば、段階５０２に基づいて、調整が必要なＥＭ信号のｄ個のパルスのパルス幅が決定された後、調整プロセスにおいて、端末は、計算結果に基づいて、現在の輝度のパルスに対応する画素行の量と、目標輝度の各パルスに対応する画素行の量とを直接調整するようにしてもよい。代替的に、１行の画素のスキャン時間の幅は、目標輝度レベルに達するまで、現在の輝度レベルを次の隣接する輝度レベルに毎回調整されるために、連続的調整方式を用いて、各調整における現在の瞬間のパルスのパルス幅に基づいて増加される。
【００７９】
なお、計算によりモジュラスが得られた後の連続的目標輝度調整において、モジュラスの値に基づいて各パルスに対応する画素行の量を割り当てる場合には、ランダムに選択された１または複数のパルスのパルス幅を増減させてもよいことに留意されたい。隣接するパルスのパルス幅を１回の調整プロセスで調整した場合、および／または、同じパルスのパルス幅を複数回の連続した調整プロセス（２回の連続した調整プロセスを含む）で調整した場合には、画像輝度が不均等になることがある。従って、実際の調整プロセスにおいては、１回の調整プロセスで間隔をおいてパルスのパルス幅を調整したり、複数回の連続した（２回を含む）調整プロセスで異なるパルスのパルス幅を調整するなどにより、前述の課題を回避することができる。
【００８０】
段階５０４：ＥＭ信号のパルス量を調整し、ＥＭ信号のデューティサイクルを変化させる。
【００８１】
この段階の特定の実施例では、シナリオ１またはシナリオ２において、ユーザが手動で画面輝度を調整するプロセスにおいて、図３（ａ）から図３（ｄ）の説明を参照する。
【００８２】
段階５０１から段階５０４で説明した方法をより明確に説明すると、例えば、現在の輝度が２５％であり、目標輝度が７０％であり、画面が１００行の画素行を含み、ＥＭ信号が４つのパルスを含む場合、現在の輝度に対応する画素行の量は、１００×２５％＝２５である。この場合、パルスに対応する画素行の量は、２５／４＝６...１、すなわち、商を６、モジュラスを１とする。従って、現在のＥＭ信号では、１つのパルスに対応する画素行の量は６＋１＝７となり、３つのパルスに対応する画素行の量は６となる。同様に、目標輝度に対応する画素行の量を１００×７０％＝７０とする場合、パルスに対応する画素行の量は７０／４＝１７...２、すなわち、商は１７、モジュラスは２となる。調整されたＥＭ信号において、２つのパルスに対応する画素行の量は１７＋１＝１８であるべきであり、２つのパルスに対応する画素行の量は１７である。計算が完了した後、計算結果に基づいて、現在のＥＭ信号に対してデューティサイクルを調整してもよい。すなわち、２つのパルスに対応する画素行の量を１８に増加させ、２つのパルスに対応する画素行の量を１７にする。このプロセスでは、各パルスに対応する画素行の量を一度に目標行の量に増加させてもよいし、１または複数の行の単位で目標行の量に増加させて、画面輝度を現在の輝度から目標輝度に変更するようにしてもよい。
【００８３】
本願の実施形態では、各パルスに対応する画素行の量は、一度に２行、３行、４行、またはｋ行増加してもよい。各パルスに対応する画素行の量が毎回２行ずつ増加している場合、前述の計算では、Ｘと２×ｄの商とモジュラスが計算され、全てのパルスに対応する増加した画素行の量は、モジュラスの２の最大倍数より小さいか等しくするべきであり、ここで、２は、毎回増加している画素行の量を示す。例えば、モジュラスが３の場合、１つのパルスに対応する画素行の量が２だけ増加し、他のパルスに対応する画素行の量は変化しない。加えて、ｋの値は、ＥＭ信号が有するパルスの量を超えるべきではなく、すなわち、ｋ＜ｄであることにも留意すべきである。
【００８４】
本願の実施形態で提供される画面輝度調整方法は、端末内のカウンタを用いて実装してもよい。具体的には、モジュロロジックをカウンタに増加させてもよい。すなわち、輝度に対応する画素行の総量を計算する場合、画素行の総量とパルスの量の商とモジュラスが記録され、その商とモジュラスに従って画素行の量を割り当てる。例えば、パルスの量を４、輝度を４３％、画面上の画素行の量を１００とする場合、輝度４３％に対応する画素行の総量は１００×４３％＝４３、および４３／４＝１０...３、すなわち、商が１０、モジュラスが３となる。輝度４３％の下で、パルスに対応する画素行の量を毎回１行増加していく場合、３行のパルスに対応する画素行の量が１０＋１＝１１と決定され、１行のパルスに対応する画素行の量が１０と決定される。これは、本願の実施形態による画面輝度調整方法では、端末チップ内のハードウェア回路の構造を変更する必要がなく、端末チップ内のカウンタのカウントプログラムを修正するだけで画面輝度調整を実装できることを意味する。前述の修正は比較的簡易であり、本願の解決策は容易に実装できる。
【００８５】
前述の機能を実装するために、端末装置は、機能を実行するための対応するハードウェア構造および／またはソフトウェアモジュールを含むことが理解できる。本願に開示された実施形態に記載されたユニットおよびアルゴリズムのステップを参照して、本願の実施形態は、ハードウェアまたはハードウェアおよびコンピュータソフトウェアの形態で実装することができる。機能がハードウェアによって実行されるか、コンピュータソフトウェアによって駆動されるハードウェアによって実行されるかは、技術的解決手段の特定のアプリケーションと設計上の制約に依存する。当業者であれば、特定のアプリケーションごとに記載された機能を実装するために異なる方法を使用してもよいが、実装が本願の実施形態における技術的解決手段の範囲を超えると考えるべきではない。
【００８６】
本願の実施形態では、端末は、前述の方法例に基づいて機能モジュールに分割できる。例えば、各機能に基づく分割により各機能モジュールを取得してもよいし、２またはそれより多くの機能を１つの処理モジュールに統合してもよい。統合モジュールは、ハードウェアの形態で実装されてもよいし、ソフトウェア機能モジュールの形態で実装されてもよい。本願の実施形態では、モジュール分割は例示であり、論理的な機能分割に過ぎないことに留意されたい。実際の実装では、別の分割方式を使用してもよい。
【００８７】
図６は、前述の実施形態における端末の可能な概略構造図である。端末６００は、決定モジュール６０１と調整モジュール６０２とを含む。
【００８８】
決定モジュール６０１は、目標輝度を決定し、目標輝度に基づいて、目標輝度を実装するために点灯する必要がある画素行の量を計算するように構成されている。
【００８９】
目標輝度を実装するために点灯する必要がある画素行の量が、送信されたＥＭ信号が有し得るパルスの設定された最大量よりも大きいまたはこれと等しい場合、決定モジュール６０１は、目標輝度を実装するために点灯する必要がある画素行の量と、ＥＭ信号が有し得るパルスの設定された最大量とに基づいて、目標輝度を実装するために必要なＥＭ信号の各パルスによって制御される画素行の量を決定するようにさらに構成されている。
【００９０】
調整モジュール６０２は、決定モジュール６０１によって決定される目標輝度を実装するために必要なＥＭ信号中の各パルスによって制御される画素行の量に基づいて、現在のＥＭ信号中の少なくとも１つのパルスのパルス幅を調整し、ＥＭ信号のデューティサイクルを変更するように構成され、デューティサイクルは、ＥＭ信号によって点灯されて制御される画素行の量を反映するために使用される。
【００９１】
本願の実施形態の一実施形態では、決定モジュール６０１は、画面が有する画素行の総量を取得し、画素が点灯したときに取得された画面が有する画素行の全ての画素の輝度に対する目標輝度の比率を決定し、目標輝度を実装するために点灯する必要がある画素行の量を取得するために、比率と画面が有する画素行の総量の積を計算するように構成される。
【００９２】
本願の実施形態の一実施形態では、決定モジュール６０１は、目標輝度を実装するために点灯する必要がある画素行の量の商およびモジュラスおよびＥＭ信号が含み得るパルスの設定された最大量を計算し、目標輝度を実装するために必要なＥＭ信号の各パルスを第１の部分および第２の部分に分割し、各パルスの第１の部分によって制御される画素行の量を、計算によって得られた商に等しくし、各パルスの第２の部分によって制御される画素行の量の和が計算によって得られたモジュラスに等しくなるように、計算によって得られたモジュラスに基づいて各パルスの第２の部分によって制御される画素行の量を割り当て、各パルスの第１の部分によって制御される画素行の量と各パルスの第２の部分によって制御される画素行の量を加算して各パルスによって制御される画素行の量を得る、ように構成される。
【００９３】
本願の実施形態の一実施形態では、各パルスの第２の部分によって制御される画素行の量において、最大値と最小値との間の差は１である。
【００９４】
本願の実施形態の一実施形態では、調整モジュール６０２は、１回の調整によって、現在のＥＭ信号内の各パルスのパルス幅を、目標輝度を実装するために必要なＥＭ信号内の各パルスのパルス幅に調整し、または、少なくとも２回の調整によって、現在のＥＭ信号内のパルスのパルス幅を、目標輝度を実装するために必要なＥＭ信号内の各パルスのパルス幅に徐々に調整するように構成される。
【００９５】
本願の実施形態の一実施形態では、調整モジュール６０２は、目標輝度を実装するために点灯する必要がある画素行の量が、ＥＭ信号が有し得るパルスの設定された最大量よりも少ない場合に、ＥＭ信号のデューティサイクルを変更するように、ＥＭ信号が有するパルスの量を調整するようにさらに構成される。
【００９６】
本願の実施形態では、端末６００は、通信モジュール６０３および記憶モジュール６０４をさらに含んでもよいことに留意されたい。通信モジュール６０３は、端末６００内のモジュール間のデータ交換をサポートするように構成されている。記憶モジュール６０４は、端末６００をサポートして、端末のプログラムコードやデータを記憶するように構成されている。
【００９７】
決定モジュール６０１および調整モジュール６０２は、全て、プロセッサ（図１に示すプロセッサ１０１）またはコントローラとして実装されてもよく、例えば、中央処理装置（Ｃｅｎｔｒａｌ  Ｐｒｏｃｅｓｓｉｎｇ  Ｕｎｉｔ、  ＣＰＵ）、汎用プロセッサ、デジタル信号プロセッサ（Ｄｉｇｉｔａｌ  Ｓｉｇｎａｌ  Ｐｒｏｃｅｓｓｏｒ、  ＤＳＰ）、アプリケーション専用集積回路（Ａｐｐｌｉｃａｔｉｏｎ−Ｓｐｅｃｉｆｉｃ  Ｉｎｔｅｇｒａｔｅｄ Ｃｉｒｃｕｉｔ、  ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、  ＦＰＧＡ）または別のプログラマブルロジックデバイス、トランジスタロジックデバイス、ハードウェア構成要素、またはそれらの任意の組み合わせであってもよい。プロセッサは、本願で開示されたコンテンツを参照して記載された様々な例示的な論理ブロック、モジュール、および回路を実装または実行してもよい。プロセッサは、コンピューティング機能を実装するプロセッサの組み合わせであってもよく、例えば、１または複数のマイクロプロセッサの組み合わせ、またはＤＳＰとマイクロプロセッサの組み合わせであってもよい。通信モジュール６０３は、トランシーバ、トランシーバ回路（図１に示すＲＦ回路１０４）、通信インタフェースなどとして実装されてもよい。記憶モジュール６０４は、メモリ（図１に示すメモリ１０２）として実装されてもよい。
【００９８】
本願で開示されたコンテンツと組み合わせて記載された方法またはアルゴリズムのステップは、ハードウェアによって実装されてもよいし、ソフトウェア命令を実行することによってプロセッサによって実装されてもよい。ソフトウェア命令は、対応するソフトウェアモジュールを含んでもよい。ソフトウェアモジュールは、ランダムアクセスメモリ（Ｒａｎｄｏｍ  Ａｃｃｅｓｓ  Ｍｅｍｏｒｙ、  ＲＡＭ）、フラッシュメモリ、読み出し専用メモリ（Ｒｅａｄ  Ｏｎｌｙ  Ｍｅｍｏｒｙ、  ＲＯＭ）、消去可能なプログラマブル読み出し専用メモリ（Ｅｒａｓａｂｌｅ  Ｐｒｏｇｒａｍｍａｂｌｅ  ＲＯＭ、  ＥＰＲＯＭ）、電気的に消去可能なプログラマブル読み出し専用メモリ（Ｅｌｅｃｔｒｉｃａｌｌｙ  ＥＰＲＯＭ、  ＥＥＰＲＯＭ）、レジスタ、ハードディスク、モバイルハードディスク、コンパクトディスク読み出し専用メモリ（Ｃｏｍｐａｃｔ  Ｄｉｓｃ  Ｒｅａｄ−Ｏｎｌｙ  Ｍｅｍｏｒｙ、  ＣＤ−ＲＯＭ）、または当技術分野でよく知られている他の任意の形態の記憶媒体に記憶されていてもよい。例えば、記憶媒体はプロセッサに連結されており、プロセッサが記憶媒体から情報を読み込むか、または記憶媒体に情報を書き込むことができるようになっている。当然、記憶媒体は、プロセッサの構成要素であってもよい。プロセッサおよび記憶媒体は、同じ装置内に配置されてもよいし、プロセッサおよび記憶媒体は、異なる装置内の別個の構成要素として配置されてもよい。
【００９９】
本願の実施形態は、可読記憶媒体を提供する。可読記憶媒体には命令が記憶されており、命令が端末上で起動される場合、端末は前述の方法の実施形態のいずれかを実行することが可能になる。
【０１００】
本願の実施形態は、コンピュータプログラム製品を提供する。コンピュータプログラム製品は、ソフトウェアコードを含み、ソフトウェアコードは、前述の方法の実施形態のいずれかを実行するために使用される。
【０１０１】
当業者であれば、前述の１または複数の例において、本願の実施形態に記載された機能は、ハードウェア、ソフトウェア、ファームウェア、またはそれらの任意の組み合わせによって実装されてもよいことを認識すべきである。本発明がソフトウェアによって実施される場合、前述の機能は、コンピュータ可読媒体に記憶されていてもよいし、コンピュータ可読媒体に１または複数の命令またはコードとして送信されていてもよい。コンピュータ可読媒体は、コンピュータ記憶媒体と通信媒体とを含み、ここで、通信媒体は、コンピュータプログラムをある場所から別の場所に送信することを可能にする任意の媒体を含む。記憶媒体は、汎用コンピュータまたは専用コンピュータにアクセス可能な任意の利用可能な媒体であってもよい。
【０１０２】
前述の説明は、本願の特定の実施例に過ぎないが、本願の保護範囲を限定することを意図したものではない。本発明に開示されている技術的範囲内で、当業者が容易に見出すことができるあらゆる変形または置換は、本願の保護範囲に属するものとする。従って、本願の保護範囲は、特許請求の範囲の保護範囲に従うものとする。
【図１】
2021517275.tif 000003
【図２ａ】
2021517275.tif 000004
【図２ｂ】
2021517275.tif 000005
【図３ａ】
2021517275.tif 000006
【図３ｂ】
2021517275.tif 000007
【図３ｃ】
2021517275.tif 000008
【図３ｄ】
2021517275.tif 000009
【図４ａ】
2021517275.tif 000010
【図４ｂ】
2021517275.tif 000011
【図４ｃ】
2021517275.tif 000012
【図４ｄ】
2021517275.tif 000013
【図５】
2021517275.tif 000014
【図６】
2021517275.tif 000015
【手続補正書】
【提出日】令和2年11月4日(2020.11.4)
【手続補正１】
【補正対象書類名】特許請求の範囲
【補正対象項目名】全文
【補正方法】変更
【補正の内容】
【特許請求の範囲】
【請求項１】
画面輝度調整方法であって、
前記方法は、目標輝度を決定し、前記目標輝度に基づいて、前記目標輝度を実装するために点灯する必要がある画素行の量を計算する段階と、
前記目標輝度を実装するために点灯する必要がある画素行の量が、送信されたＥＭ信号が有し得るパルスの設定された最大量よりも大きいまたはこれと等しい場合、前記目標輝度を実装するために点灯する必要がある画素行の量と、前記ＥＭ信号が有し得るパルスの前記設定された最大量とに基づいて、前記目標輝度を実装するために必要な前記ＥＭ信号内の各パルスによって制御される画素行の量を決定する段階と、
前記目標輝度を実装するために必要な前記ＥＭ信号内の各パルスによって制御される画素行の前記決定された量に基づいて、現在のＥＭ信号内の少なくとも１つのパルスのパルス幅を調整して、前記ＥＭ信号のデューティサイクルを変更する段階であって、前記デューティサイクルは、前記ＥＭ信号によって点灯されて制御される画素行の量を反映するために使用される段階と、
を備える、方法。
【請求項２】
前記目標輝度に基づいて、前記目標輝度を実装するために点灯する必要がある画素行の量を計算する段階は、
画面が有する画素行の総量を得る段階と、
前記画素が点灯されたときに得られる前記画面が有する全ての画素行の輝度に対する前記目標輝度の比率を決定する段階と、
前記比率と前記画面が有する画素行の総量との積を計算して、前記目標輝度を実装するために点灯する必要がある画素行の量を得る段階と、
を備える、請求項１に記載の方法。
【請求項３】
前記目標輝度を実装するために点灯する必要がある画素行の量と、前記ＥＭ信号が有し得るパルスの設定された最大量とに基づいて、前記目標輝度を実装するために必要な前記ＥＭ信号内の各パルスによって制御される画素行の量を決定する段階は、
前記目標輝度を実装するために点灯させる必要がある画素行の量と、前記ＥＭ信号が有し得るパルスの設定された最大量との商およびモジュラスを計算する段階と、
前記目標輝度を実装するために必要な前記ＥＭ信号内の各パルスを第１の部分と第２の部分とに分割する段階と、
各パルスの前記第１の部分によって制御される画素行の量を、計算によって得られた前記商と等しくする段階と、
各パルスの前記第２の部分によって制御される画素行の量の和が計算で得られた前記モジュラスと等しくなるように、計算で得られた前記モジュラスに基づいて各パルスの前記第２の部分で制御される画素行の量を割り当てる段階と、
各パルスの前記第１の部分および前記第２の部分で制御される画素行の量を加算して各パルスで制御される画素行の量を得る段階と、
を備える、請求項１に記載の方法。
【請求項４】
各パルスの前記第２の部分によって制御される画素行の量において、最大値と最小値との間の差が１である、請求項３に記載の方法。
【請求項５】
前記目標輝度の実装に必要な前記ＥＭ信号内の各パルスによって制御される画素行の決定された量に基づいて、現在のＥＭ信号内の少なくとも１つのパルスのパルス幅を調整する前記段階は、
１回の調整によって、前記現在のＥＭ信号内の各パルスのパルス幅を、前記目標輝度の実装に必要な前記ＥＭ信号内の各パルスのパルス幅に調整する段階、または、
少なくとも２回の調整によって、前記現在のＥＭ信号内のパルスのパルス幅を、前記目標輝度の実装に必要な前記ＥＭ信号内の各パルスのパルス幅に徐々に調整する段階、
を備える、請求項１に記載の方法。
【請求項６】
前記目標輝度に基づいて、前記目標輝度を実装するために点灯する必要がある画素行の量を前記計算した後に、前記方法はさらに、
前記目標輝度を実装するために点灯する必要がある画素行の量が、前記ＥＭ信号が有し得るパルスの前記設定された最大量よりも少ない場合に、前記ＥＭ信号の前記デューティサイクルを変更するために、前記ＥＭ信号のパルスの量を調整する段階を備える、
請求項１に記載の方法。
【請求項７】
装置であって、
少なくとも１つのプロセッサと、
前記少なくとも１つのプロセッサに連結されプログラミング命令を記憶するメモリと、を備え、前記少なくとも１つのプロセッサによって実行される場合、前記装置に請求項１から６のいずれか１項に記載の方法を実行させる、装置。
【請求項８】
コンピュータ可読媒体であって、前記コンピュータ可読媒体が、前記少なくとも１つのプロセッサによって実行される場合、請求項１から６のいずれか１項に記載の方法を装置に実行させるプログラミング命令を記憶する、コンピュータ可読媒体。
【国際調査報告】
2021517275.tif 000016
2021517275.tif 000017
2021517275.tif 000018
2021517275.tif 000019
2021517275.tif 000020
2021517275.tif 000021